(57)【要約】【課題】不要光の入射が阻止されるとともに、落下しても赤外カットフィルタが割れ難い構造を持つ光学ユニット、およびその光学ユニットを備えた撮影装置を提供する。【解決手段】後ホルダ２１２Ｂの結像側開口ＡＰ２に隣接して結像側開口を取り巻く、赤外カットフィルタＩＲＣＦが配置される第１凹部Ｐ１とマスク部材が配置される第２の凹部Ｐ２とを設ける。赤外カットフィルタＩＲＣＦの縁を越えて広がり、その赤外カットフィルタと重なる中央部に光を通過させる開口ＡＰ３を有し開口から外れて進む不要光を遮蔽するマスク部材Ｍ２に貼付してある両面粘着テープで赤外カットフィルタを保持する。【選択図】        図５
2010085697.tif 000002
【特許請求の範囲】
【請求項１】
撮影レンズと、
対物側開口と結像側開口とを有し前記撮影レンズを保持するレンズホルダと、
赤外線の通過を阻止する赤外カットフィルタと、
前記赤外カットフィルタと重なる中央部に光を通過させる開口を有し該開口から外れて進む不要光を遮蔽する、該赤外カットフィルタの縁を越えて広がるマスク部材とを有し
、
前記レンズホルダが、前記結像側開口に隣接して該結像側開口を取り巻く、前記赤外カットフィルタが配置される第１凹部と、該第１凹部に隣接して該第１凹部よりも結像側に一段偏倚し該第１凹部を取り巻いて広がる、前記マスク部材が配置される第２の凹部とを有することを特徴とする光学ユニット。
【請求項２】
光軸方向に伸縮することによって撮影レンズを光軸方向に移動させる圧電素子をさらに備え、
前記レンズホルダが、結像側壁面に前記圧電素子の挿入を受ける挿入開口を有し、該圧電素子は、該挿入開口から該レンズホルダ内に挿入されたものであって、
前記マスク部材が、前記挿入開口と重なる領域まで広がり該挿入開口を覆って配置されれていることを特徴とする請求項１記載の光学ユニット。
【請求項３】
前記マスク部材が、前記第２凹部に両面粘着テープで貼着されていることを特徴とする請求項１又は２記載の光学ユニット。
【請求項４】
請求項１から３のうちのいずれか１項記載の光学ユニットと、
前記光学ユニットよりも結像側に配置された撮像素子とを備えたことを特徴とする撮影装置。
【発明の詳細な説明】
【技術分野】
【０００１】
本発明は、赤外カットフィルタを備えた光学ユニットおよびその光学ユニットを備えた撮影装置に関する。
【背景技術】
【０００２】
最近の携帯電話機には大抵撮影装置が配備されている。
【０００３】
図１はその撮影装置の一例としての、撮影装置３００を示す分解斜視図である。
【０００４】
この撮影装置３００は、図の左下から被写体光が入射するものであり、以下では図の左下を前、図の右上を後と称して説明する。
【０００５】
図１に示す撮影装置３００には、光学ユニット３１０と撮像素子３２０Ａが実装された基板３２０とが備えられている。その光学ユニット３１０には、レンズ枠３１１とそのレンズ枠３１１を移動自在に保持するレンズホルダ３１２とが備えられている。そのレンズホルダ３１２は、前ホルダ３１２Ａと後ホルダ３１２Ｂとに２分割されており、後ホルダ３１２Ｂに先にレンズ枠３１１が組み込まれた後で前ホルダ３１２Ａがレンズ枠３１１を包み込むようにして後ホルダ３１２Ｂに連結されることによりレンズ枠３１１がレンズホルダ３１２内に組み込まれる。このため、前ホルダ３１２Ａには、上部３１２１Ａと左側面部３１２２Ａとが設けられ、後ホルダ３１２Ｂには下部３１２１Ｂと右側面部３１２２Ｂとが設けられ前ホルダ３１２Ａと後ホルダ３１２Ｂとが前後から合わされることによりレンズホルダ３１２になる様に構成されている。
【０００６】
以降においては組立の順序にしたがって構成を説明していく。
【０００７】
まず、後ホルダ３１２Ｂの下部３１２１Ｂにレンズ枠３１１を載せるとともに、後ホルダ３１２Ｂの右側面部３１２２Ｂの凹部Ｎ１にレンズ枠３１１の右斜め下方に設けられている圧電素子ＰＺ１の連結用のフォーク３１１０を嵌め込むようにしてレンズ枠３１１が後ホルダ３１２Ｂに配設される。そうしてレンズ枠３１１の左斜め上方のフォーク３１１１にガイド軸ＡＸ１が挿入されて後ホルダ３１２Ｂに連結され、また右斜め下方のフォーク３１１０に駆動軸ＤＳが挿入されて後ホルダに連結される。この駆動軸ＤＳは、圧電素子の一端に固着されており、圧電素子ＰＺ１にはシリコンキャップＳＣが嵌め込まれてそのシリコンキャップＳＣが後ホルダ３１２Ｂに連結され、その駆動軸ＤＳの先端が後ホルダの孔Ｈ１を貫通して、レンズ枠３１１の右斜め下側のフォーク３１１０に挿入される。
【０００８】
そのフォークには、金具Ｋ１，Ｋ２、バネＳＰ１が取り付けられており、これらの金具Ｋ１，Ｋ２は、バネＳＰ１によって接近するように付勢されている。これらの金具Ｋ１，Ｋ２の間を駆動軸ＤＳが挿通することでバネＳＰ１が金具Ｋ１、Ｋ２を駆動軸ＤＳの側面に付勢する。このように構成することで、駆動軸ＤＳと金具Ｋ１，Ｋ２との間に摩擦力が働き、駆動軸ＤＳの軸方向の振動がフォーク３１１０に伝達し、レンズ枠が光軸方向に移動する。
【０００９】
こうしてレンズ枠３１１が後ホルダ３１２Ｂに連結された後、前ホルダ３１２Ａがレンズ枠３１１を包みこむようにして被写体側から被せられて止めネジＳＲ１，ＳＲ２によって前ホルダ３１２Ａと後ホルダ３１２Ｂとがレンズホルダ３１２を形成するように締結される。
【００１０】
なお、この図１の例では前カバー３１２Ａにレンズ枠３１１のフォーク３１１０が被写体側から見えるように切り欠きＣ０が設けられており、さらに、その切り欠きＣ０を塞ぐカバーＣ１と防塵テープＣ２とが設けられている。
【００１１】
そして、レンズホルダ３１２内にレンズ枠３１１と圧電素子ＰＺ１が組み込まれた後においては、圧電素子が組み込まれた後ホルダ３１２Ｂの孔（不図示）から圧電素子ＰＺ１後ホルダ内部に塵埃などが侵入しないようにカバーＣ３が貼付される。そしてマスク部材Ｍ１が両面粘着テープによって後ホルダ３１２Ｂに貼付され、さらにそのマスク部材Ｍ１に赤外カットフィルタＩＲＣＦが両面粘着テープＢＴで貼付される。その後、接着剤ＡＤが赤外カットフィルタＩＲＣＦと後ホルダ３１２Ｂにまたがる様に塗布され、赤外カットフィルタが接着固定される。その後、撮像素子３２０Ａを搭載したプリント基板３２０が後ホルダ３１２Ｂに接着固定され、撮影装置３００の組立が終了する。
【００１２】
この赤外カットフィルタＩＲＣＦは赤外線の通過を阻止するものであり、マスク部材Ｍ１は、その赤外カットフィルタＩＲＣＦと重なる中央部に光を通過させる開口を有し開口ＡＰから外れて進む不要光を遮蔽するものである。
【００１３】
しかし、図１の構成にすると図１の撮影装置３００の落下衝撃試験を実施したときに光学ユニット３１０が備える赤外カットフィルタＩＲＣＦが割れてしまうことがある。これは赤外カットフィルタＩＲＣＦが後ホルダに接着固定されているためであり、撮影装置３００の落下時に後ホルダにひずみが発生し、赤外カットフィルタＩＲＣＦにもひずみが伝わり、赤外カットフィルタＩＲＣＦが割れてしまう。
【００１４】
特許文献１には組立時に赤外カットフィルタの角部の欠けを防止する技術が開示されているが、この特許文献１のカメラモジュールにおいてもカメラモジュールの外郭を構成するハウジングに赤外カットフィルタの取付枠を設けてその取付枠に赤外カットフィルタが接着固定されるため、落下試験時には赤外カットフィルタが割れてしまうことが予想される。またこの特許文献１のカメラモジュールにはマスク部材が設けられていないために不要光が撮像素子に入射する恐れがある。
【特許文献１】特開２００７−１８１０４４号公報
【発明の開示】
【発明が解決しようとする課題】
【００１５】
本発明は、上記事情に鑑み、不要光の入射が阻止されるとともに、落下しても赤外カットフィルタが割れ難い構造を持つ光学ユニット、およびその光学ユニットを備えた撮影装置を提供することを目的とする。
【課題を解決するための手段】
【００１６】
上記目的を達成する本発明の光学ユニットは、
撮影レンズと、
対物側開口と結像側開口とを有し上記撮影レンズを保持するレンズホルダと、
赤外線の通過を阻止する赤外カットフィルタと、
上記赤外カットフィルタと重なる中央部に光を通過させる開口を有しその開口から外れて進む不要光を遮蔽する、その赤外カットフィルタの縁を越えて広がるマスク部材とを有し、
上記レンズホルダが、上記結像側開口に隣接してその結像側開口を取り巻く、上記赤外カットフィルタが配置される第１凹部と、その第１凹部に隣接してその第１凹部よりも結像側に一段偏倚しその第１凹部を取り巻いて広がる、上記マスク部材が配置される第２の凹部とを有することを特徴とする。
【００１７】
上記本発明の光学ユニットによれば、上記レンズホルダが備える上記第１の凹部に上記赤外カットフィルタが配置された後、その第１の凹部に隣接してその第１の凹部よりも結像側に一段偏倚しその第１の凹部を取り巻いて広がる第２の凹部に配置された上記マスク部材によって上記赤外カットフィルタが保持される。
【００１８】
その結果、上記撮影装置が落下した時の赤外カットフィルタに加えられる落下衝撃がその赤外カットフィルタを覆う上記マスク部材によって和らげられ赤外カットフィルタが割れ難くなるという効果が得られる。また、そのマスク部材によっては不要光の撮像素子への入射が阻止される。
【００１９】
ここで、光軸方向に伸縮することによって撮影レンズを光軸方向に移動させる圧電素子をさらに備え、
上記レンズホルダが、結像側壁面に上記圧電素子の挿入を受ける挿入開口を有し、その圧電素子は、その挿入開口からそのレンズホルダ内に挿入されたものであって、
上記マスク部材が、上記挿入開口と重なる領域まで広がりその挿入開口を覆って配置されれていることが好ましい。
【００２０】
図１で説明した様に圧電素子ＰＺ１をレンズホルダ３１２に挿入した後においては後ホルダ３１２Ｂの圧電素子挿入用の孔をカバーＣ３で塞ぐ必要があったが、上記構成によれば、マスク部材がそのカバーＣ３の機能を果たすことになるので、カバーが省略され部品点数が低減されるという効果が得られる。
【００２１】
ここで、上記マスク部材が、上記第２凹部に両面粘着テープで貼着されていることが好ましい。
【００２２】
そうすると、上記マスク部材の表面に両面粘着テープを貼付しておいて、その両面粘着テープを第２の凹部に貼り付けることで上記光学ユニットを簡単に組み立てることが可能となる。
【００２３】
上記目的を達成する本発明の撮影装置は、
上記光学ユニットと、
上記光学ユニットよりも結像側に配置された撮像素子とを備えたことを特徴とする。
【００２４】
使用時に落下衝撃が加えられても赤外カットフィルタが割れ難い構造を持つ撮影装置が実現する。
【００２５】
上記撮影装置によれば、撮影装置を落としても撮影装置内の光学ユニットが備える赤外カットフィルタが割れ難くなる。
【発明の効果】
【００２６】
本発明によれば、不要光の入射が阻止されるとともに、落下しても赤外カットフィルタが割れ難い構造を持つ光学ユニット、およびその光学ユニットを備えた撮影装置が実現する。
【発明を実施するための最良の形態】
【００２７】
以下、図面を参照して本発明の実施の形態を説明する。
【００２８】
図２は、本発明の一実施形態が適用された携帯電話機の外観斜視図である。
【００２９】
図２（Ａ）には、携帯電話機１００の前面図が示されている。携帯電話機１００の前面には、メニュー画面や、撮影画像などが表示される液晶パネル１０１、内部にスピーカ（図３参照）が配備され、スピーカから発せられる音声を放つための受話口１０２、電話局を介して音声やメールなどのデータを送受信するための第１アンテナ１０３ａ、各種機能の選択や、撮影を行う際のシャッタボタンとして使用される選択ボタン１０４、電話番号を入力するためのプッシュボタン１０５、内部にマイクロフォン（図３参照）が配備され、声をマイクロフォンに伝えるための送話口１０６、ユーザが入力した電話番号などを確定する確定ボタン１０７、電源ボタン１０８、および電話局を介さずに、近距離用の無線通信によって画像やアドレス情報などを送受信するための第２アンテナ１０９ａが備えられている。
【００３０】
図２（Ｂ）には、携帯電話機１００の背面図が示されている。携帯電話機１００の背面には、撮影レンズ１００ａが嵌め込まれている。
【００３１】
図３は、携帯電話機１００のブロック図である。
【００３２】
携帯電話機１００の内部には、撮影装置２００、ＣＣＤ１１２、Ａ／Ｄ（Ａｎａｌｏｇ／Ｄｅｇｉｔａｌ）変換部１１３、マイクロフォン１２１、スピーカ１２２、インタフェース部１２０、第１アンテナ１０３ａ、第１送受信部１０３、入力コントローラ１３０、画像信号処理部１４０、ビデオエンコーダ１５０、画像表示装置１６０、第２アンテナ１０９ａ、第２送受信部１０９、メモリ１７０、ＣＰＵ１８０、メディアコントローラ１９０、および図１に示す選択ボタン１０４やプッシュボタン１０５などといった各種スイッチ１８１が具備されており、さらに、記録メディア１９０ａが接続されている。撮影装置２００は、本発明の撮影装置の一実施形態に相当し、ＣＣＤ１１２は、本発明にいう撮像素子の一例に相当する。
【００３３】
ＣＰＵ１８０は、図３に示す携帯電話機１００の各種要素に処理の指示を伝えて、各種要素を制御する。例えば、撮影を行う撮影モードが設定された状態で図２の選択ボタン１０４が押下されると、ＣＰＵ１８０から図３に示す各種要素に指示が与えられ、撮影が開始される。
【００３４】
撮影装置２００には、図２（Ｂ）にも示す撮影レンズ１００ａや、ＣＣＤ１１２で受光される被写体光の光量を調整するアイリス１１１などが備えられている。尚、本来、撮影装置２００には複数のレンズが配備されるが、この図３では、それら複数のレンズを撮影レンズ１００ａとして模式的に示している。撮影装置２００については、後で詳しく説明する。
【００３５】
図２（Ａ）の選択ボタン１０４が押下されて撮影が開始されると、ＣＣＤ１１２は、撮影レンズ１００ａおよびアイリス１１１を通ってきた被写体光を受光して、被写体光に基づく被写体像をアナログ信号である被写体信号として読み取る。ＣＣＤ１１２で生成された被写体信号は、Ａ／Ｄ変換部１１３でデジタルの撮影画像データに変換される。変換後の撮影画像データは、入力コントローラ１３０を介して画像信号処理部１４０に送られる。
【００３６】
画像信号処理部１４０では、画像データにＲＧＢレベルの調節、ガンマ調整等といった画像処理が施され、さらに、画像処理後の画像データに圧縮処理が施される。圧縮後の画像データは、一旦メモリ１７０に送られる。
【００３７】
メモリ１７０には、この携帯電話機１００内で実行されるプログラムが記憶されたり、中間バッファとして用いられる記録速度が高速なＳＤＲＡＭ、各種メニュー画面用のデータや、ユーザの設定内容などが記憶されたデータ保存用のメモリであるＳＲＡＭ、圧縮された画像データが記憶されるＶＲＡＭが含まれている。ＶＲＡＭは、複数領域に分割されており、画像データが複数領域に順番に記憶され、記憶された画像データはビデオエンコーダ１５０やメディアコントローラ１９０に順次に読み出される。
【００３８】
ビデオエンコーダ１５０は、ＣＰＵ１８０からの指示に従って、メモリ１７０から圧縮後の画像データを取得し、圧縮後の画像データを、液晶パネル１０１で表示できるデータ形式に変換する。変換後の画像データは画像表示装置１６０に送られ、画像表示装置１６０によって、画像データが表す画像が液晶パネル１０１に表示される。メディアコントローラ１９０は、メモリ１７０に記憶された圧縮後の画像データを記録メディア１９０ａへ記録したり、記録メディア１９０ａに記録された画像データを読み出すためのものである。
【００３９】
また、図２（Ａ）に示すプッシュボタン１０５を使って電話番号が入力され、確定ボタン１０７が押下されると、電話番号が設定されて相手装置との通信が開始される。このとき、携帯電話機１００の電話番号や入力された電話番号などの通信情報がＣＰＵ１８０から第１送受信部１０３に伝えられ、通信情報が電波に変換されてアンテナ１０３ａに伝えられ、アンテナ１０３ａから電波が発せられる。第１アンテナ１０３ａから発せられた電波は、建物や電柱などといった各所に設けられている共同アンテナ（図示しない）を介して電話局に伝わり、電話局で、指定された電話番号が割り当てられた相手装置との接続が確立される。
【００４０】
相手装置との接続が確立すると、ユーザが携帯電話機１００に向けて発した声が、マイクロフォン１２１で集音され、集音された声がインタフェース部１２０で音声データを表わす電波に変換されて、第１送受信部１０３の第１アンテナ１０３ａによって相手装置に送信される。また、第１アンテナ１０３ａを介して受信された音声用の電波は、インタフェース部１２０で音声データに変換され、スピーカ１２２から音声として発せられる。第１送受信部１０３、第１アンテナ１０３ａでは、音声データだけではなく、電話番号の代わりにメールアドレスを使ってメールを表わすメールデータも送受信される。第１アンテナ１０３ａで受信されて、第１送受信部１０３でデジタル化されたメールデータは、入力コントローラ１３０によってメモリ１７０に記憶される。
【００４１】
また、この携帯電話機１００には、電話局を介して他の携帯電話機などといった相手装置と通信するための通信インタフェース（第１送受信部１０３、第１アンテナ１０３ａ）とは別に、電話局を介さずに、近距離用の無線通信によって通信するための無線通信インタフェース（第２送受信部１０９、第２アンテナ１０９ａ）も備えられている。近距離無線通信用の通信インタフェースとしては、赤外線通信やブルートゥース（Ｂｌｕｅｔｏｏｔｈ）などを適用することができる。本実施形態では、通信インタフェースとして微弱電波を使用する無線通信が適用されており、他の携帯電話機などから直接送信されてきた電波が第２アンテナ１０９ａで受信されると、その受信された電波に基づく電気信号が第２送受信部１０９でピックアップされて、デジタルのデータに変換される。逆に、外部装置にデータを送信するときには、第２送受信部１０９にデータが伝えられ、そのデータが第２送受信部１０９で電波に変換されて、第２アンテナ１０９ａから発せられる。
【００４２】
この第２アンテナ１０９ａで画像を表わす無線信号が受信されると、第２送受信部１０９では無線信号に基づく電気信号が画像データに変換される。変換された画像データは、撮影画像データと同様にして、画像表示装置１６０に送られて画像データが表わす画像が液晶パネル１０１に表示されたり、メディアコントローラ１９０を介して記録メディア１９０ａに記録される。
【００４３】
携帯電話機１００は、基本的には以上のように構成されている。
【００４４】
続いて、撮影装置２００について詳しく説明する。
【００４５】
図４は、撮影装置２００の分解斜視図である。
【００４６】
以下では、図１と同様に図の左下から被写体光が撮影装置２００内に入射するものとして説明し、図の左下を前、図の右上を後と称して説明する。
【００４７】
図４には図１の構成と同様の構成を持つ撮影装置の分解図が示されているが、組立のし易さを考えて前ホルダと後ホルダの構造が変更された例が示されている。
【００４８】
図４に示す撮影装置２００には、光学ユニット２１０とＣＣＤ１１２が実装された基板２２０とが備えられている。その光学ユニット２１０には、撮影レンズ１００ａを保持するレンズ枠２１１とそのレンズ枠２１１を移動自在に保持するレンズホルダ２１２とが備えられている。そのレンズホルダ２１２は、前ホルダ２１２Ａと後ホルダ２１２Ｂとに２分割されており、後ホルダ２１２Ｂに先にレンズ枠２１１が組み込まれた後で前ホルダ２１２Ａがレンズ枠２１１を覆うようにして後ホルダ２１２Ｂに連結されてレンズ枠２１１がレンズホルダ２１２内に組み込まれる。このため、前ホルダ２１２Ａには、下部２１２１Ａと右側面部２１２２Ａと、後ホルダ２１２Ｂの左側面部２１２３Ｂと連携してレンズホルダ２１２の左側面部を構成するような左側面部２１２３Ａと、後ホルダ２１２Ｂの上部２１２４Ｂと連携してレンズホルダ２１２の上部を構成するような上部２１２４Ａが設けられて、前ホルダ２１２Ａと後ホルダ２１２Ｂとが前後から合わされてレンズホルダ２１２になる様に構成されている。
【００４９】
以降においては組立の順序にしたがって構成を説明していく。
【００５０】
まず、レンズ枠２１１が後ホルダ３１２Ｂに配設され、ガイド軸ＡＸ１と駆動軸ＤＳとによってレンズ枠２１１が後ホルダ２１２Ｂに連結される。圧電素子ＰＺ１には、後ホルダ３１２Ｂに挿入される前にシリコンキャップＳＣが嵌め込まれてそのシリコンキャップＳＣが後ホルダ３１２Ｂに連結されるとともに駆動軸ＤＳの先端がレンズ枠３１１の右斜め下側のフォーク２１１０に接触するように配設される。そのフォークには、金具Ｋ１，Ｋ２、バネＳＰ１が取り付けられており、これらの金具Ｋ１，Ｋ２は、バネＳＰ１によって接近するように付勢されている。これらの金具Ｋ１，Ｋ２の間を駆動軸ＤＳが挿通することでバネＳＰ１が金具Ｋ１、Ｋ２を駆動軸ＤＳの側面に付勢する。このように構成することで、駆動軸ＤＳと金具Ｋ１，Ｋ２との間に摩擦力が働き、駆動軸ＤＳの軸方向の振動がフォーク３１１０に伝達し、レンズ枠が光軸方向に移動する。
【００５１】
こうしてレンズ枠２１１が後ホルダ２１２Ｂに連結された後、前ホルダ２１２Ａがレンズ枠２１１を包みこむようにして被写体側から被せられて止めネジ（不図示）によって前ホルダ２１２Ａと後ホルダ２１２Ｂとがレンズホルダ２１２を形成するように締結される。
【００５２】
このように構成すると、下側のフォーク３１１０が確実に駆動軸ＤＳに接触して圧電素子ＰＺ１の伸縮に応じて駆動軸ＤＳが軸方向に振動してレンズ枠３１１が光軸方向に滑らかに移動する。
【００５３】
ここで、本実施形態において上記課題に掲げた問題をどのように解決したかを説明する。
【００５４】
図５は、図４の後ホルダ２１２Ｂを撮像素子側から見た図と図４に示す後ホルダ２１２ＢのＡ−Ａ矢視図である。
【００５５】
図４のレンズホルダ２１２には、図５に示す様に、結像側開口ＡＰ２に隣接してその結像側開口ＡＰ２を取り巻く、赤外カットフィルタＩＲＣＦが配置される第１凹部Ｐ１と、その第１凹部Ｐ１に隣接して第１凹部Ｐ１よりも結像側に一段偏倚しその第１凹部Ｐ１を取り巻いて広がる、マスク部材Ｍ２が配置される第２の凹部Ｐ２とが設けられている。
【００５６】
また図４に示すマスク部材Ｍ２には、赤外カットフィルタＩＲＣＦと重なる中央部に光を通過させる開口ＡＰ３が設けられており、その開口ＡＰ３から外れて進む不要光が、赤外カットフィルタＩＲＣＦの縁を越えて広がる部分によって遮蔽されるように構成されている。
【００５７】
このため、赤外カットフィルタＩＲＣＦを後ホルダ２１２Ｂの第１凹部Ｐ１に配置して続けてマスク部材Ｍ２を後ホルダの第２凹部Ｐ２に配置したときにマスク部材Ｍ２に貼り付けた両面粘着テープＢＴで赤外カットフィルタＩＲＣＦがマスク部材Ｍ２に固定されるとともに、マスク部材Ｍ２が後ホルダ２１２Ｂに固定される。
【００５８】
本実施形態では、赤外カットフィルタＩＲＣＦを後ホルダ２１２Ｂに接着剤で固定することは行なっていない。赤外カットフィルタＩＲＣＦが第１凹部Ｐ１にゆるく嵌入するとともに、マスク部材Ｍ２で支持され、さらにマスク部材の後方には撮像素子３２０Ａが所定の隙間をもって配置されているので、撮影装置２１０が落下した際に赤外カットフィルタＩＲＣＦが後ホルダ２１２Ｂから脱落することはない。
【００５９】
その結果、図２の撮影装置が落下してもマスク部材Ｍ２が緩衝部材となって働くことで赤外カットフィルタＩＲＣＦ２が割れ難くなるという効果が得られる。
【００６０】
また、本実施形態のような構成にすると、後ホルダ２１２Ｂの厚みを、赤外カットフィルタＩＲＣＦを配置する凹部Ｐ１を設けた分、厚くすることができるのでレンズホルダ２１２の強度アップを図ることができるという効果も得られる。
【００６１】
さらに、従来においては赤外カットフィルタを再利用する際に接着剤を剥離して赤外カットフィルタを取り外さなければならなかったが、上記実施形態においてはマスク部材に貼付されている両面粘着テープを外せば赤外カットフィルタを無傷のまま取り出すことができるので、赤外カットフィルタの再利用を簡単に行なうことができるという効果も得られる。
【図面の簡単な説明】
【００６２】
【図１】撮影装置３００を示す分解斜視図である。
【図２】本発明の一実施形態が適用された携帯電話機の外観斜視図である。
【図３】携帯電話機１００のブロック図である。
【図４】撮影装置２００の分解斜視図である。
【図５】図４の後ホルダ２１２Ｂを被写体側から見た図である。
【符号の説明】
【００６３】
１００    携帯電話機
１０１    液晶パネル
１０２    受話口
１０３ａ    第１アンテナ
１０４    選択ボタン
１０５    プッシュボタン
１０６    送話口
１０７    確定ボタン
１０８    電源ボタン
１０９ａ    第２アンテナ
１１２    ＣＣＤ
１１３    Ａ／Ｄ変換部
１２０    インタフェース部
１２１    マイクロフォン
１２２    スピーカ
１３０    入力コントローラ
１４０    画像信号処理部
１５０    ビデオエンコーダ
１６０    画像表示装置
１７０    メモリ
１８０    ＣＰＵ
１８１    各種スイッチ
２００  ２１０  ３１０    撮影装置
２１１  ３１１    レンズ枠
２１２  ３１２    レンズホルダ
２１２Ａ  ３１２Ａ    前ホルダ
２１２Ｂ  ３１２Ｂ    後ホルダ
ＰＺ１    圧電素子
ＡＸ１    ガイド棒
Ｍ１  Ｍ２    マスク部材
ＩＲＣＦ    赤外カットフィルタ
【図１】
2010085697.tif 000003
【図２】
2010085697.tif 000004
【図３】
2010085697.tif 000005
【図４】
2010085697.tif 000006
【図５】
2010085697.tif 000007